Podtech/llm-jp-corpus-v4-ja_patent huggingface dataset:
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
ＳＲＡＭメモリセルが含まれるＳＲＡＭメモリを動作させる方法であって、同メモリセルには、
第１記憶ノードと、
第２記憶ノードと、
交差結合ラッチと、が含まれ、同交差結合ラッチには、
前記第１記憶ノードへの第１予備電源電流経路と、
前記第１記憶ノードへの第１予備シンク電流経路と、
前記第２記憶ノードへの第２予備電源電流経路と、
前記第２記憶ノードへの第２予備シンク電流経路と、
前記第１記憶ノードへの第５予備電流経路と、
前記第２記憶ノードへの第６予備電流経路と、が含まれ、
前記方法には、
前記メモリセルを読み出す段階と、
前記メモリセルに書き込む段階と、が含まれ、
前記第５予備電流経路は第１のトランジスタを含み、前記第６予備電流経路は第２のトランジスタを含み、第１のトランジスタと第２のトランジスタとのうちの一方は、メモリセルの読み出し中は導通状態で、第１のトランジスタと第２のトランジスタとは、メモリセルの書き込み中は非導通状態である、  
方法。
【請求項２】
前記第５予備電流経路は、前記第１予備電源電流経路と並列であり、また、前記第６予備電流経路は、前記第２予備電源電流経路と並列である請求項１に記載方法。
【請求項３】
前記第５予備電流経路は、前記第１予備シンク電流経路と並列であり、また、前記第６予備電流経路は、前記第２予備シンク電流経路と並列である請求項１に記載の方法。
【請求項４】
請求項１に記載の方法であって、
前記第１電源電流経路は第１トランジスタを含み、前記第１トランジスタは前記第２記憶ノードに結合された制御端子を含み、
前記第１シンク電流経路は第２トランジスタを含み、前記第２トランジスタは前記第２記憶ノードに結合された制御端子を含み、
前記第２電源電流経路は第３トランジスタを含み、前記第３トランジスタは前記第１記憶ノードに結合された制御端子を含み、
前記第２シンク電流経路は第４トランジスタを含み、前記第４トランジスタは前記第１記憶ノードに結合された制御端子を含み、
前記第５予備電流経路は第５トランジスタを含み、前記第５トランジスタは前記第２記憶ノードに結合された制御端子を含み、
前記第６予備電流経路は第６トランジスタを含み、前記第６トランジスタは前記第１記憶ノードに結合された制御端子を含む、方法。
【請求項５】
ＳＲＡＭメモリセルであって、
第１記憶ノードと、
第２記憶ノードと、
前記第１記憶ノードに結合された第１端子及び前記第２記憶ノードに結合された第２端子が含まれる交差結合ラッチであって、
前記第１記憶ノードへの第１予備電源電流経路と、
前記第１記憶ノードへの第１予備シンク電流経路と、
前記第２記憶ノードへの第２予備電源電流経路と、
前記第２記憶ノードへの第２予備シンク電流経路と、を含む前記交差結合ラッチと、
前記第１記憶ノードへの第５予備電流経路と、
前記第２記憶ノードへの第６予備電流経路と、が含まれ、
前記第５予備電流経路及び前記第６予備電流経路の一方は、前記メモリセルへの書き込み中、非導通状態であるＳＲＡＭメモリセル。
【請求項６】
前記第５予備電流経路は、前記第１予備電源電流経路と並列であり、前記第６予備電流経路は、前記第２予備電源電流経路と並列である請求項５に記載の装置。
【請求項７】
前記第５予備電流経路は前記第１予備シンク電流経路と並列であり、前記第６予備電流経路は前記第２予備シンク電流経路と並列である請求項５に記載のメモリセル。
【請求項８】
メモリセルであって、前記第５予備電流経路は、第１トランジスタを含み、また、前記第６予備電流経路は、第２トランジスタを含み、前記第１トランジスタ及び前記第２トランジスタの一方は、前記メモリセルの読出し中は導通状態であり、また、前記第１トランジスタ及び前記第２トランジスタは、前記メモリセルへの書き込み中は非導通状態である請求項５に記載のメモリセル。  
【請求項９】
請求項５に記載のメモリセルであって、
前記第１電源電流経路は第１トランジスタを含み、前記第１トランジスタは前記第２記憶ノードに結合された制御端子を含み、
前記第１シンク電流経路は第２トランジスタを含み、前記第２トランジスタは前記第２記憶ノードに結合された制御端子を含み、
前記第２電源電流経路は第３トランジスタを含み、前記第３トランジスタは前記第１記憶ノードに結合された制御端子を含み、
前記第２シンク電流経路は第４トランジスタを含み、前記第４トランジスタは前記第１記憶ノードに結合された制御端子を含むメモリセル。    
【請求項１０】
ＳＲＡＭメモリセルであって、
第１記憶ノードと、
第２記憶ノードと、
前記第１記憶ノードに結合された第１端子及び前記第２記憶ノードに結合された第２端子を含む交差結合ラッチであって、
前記第１記憶ノードへの第１予備電源電流経路と、
前記第１記憶ノードへの第１予備シンク電流経路であって、前記第１予備シンク電流経路は、第１トランジスタを含み、前記第１トランジスタは、前記第２記憶ノードに結合された制御端子を含む前記第１予備シンク電流経路と、
前記第２記憶ノードへの第２予備電源電流経路と、
前記第２記憶ノードへの第２予備シンク電流経路であって、前記第２予備シンク電流経路は、第２トランジスタを含み、前記第２トランジスタは、前記第１記憶ノードに結合された制御端子を含む前記第２予備シンク電流経路と、を含む前記交差結合ラッチと、
前記第１記憶ノードへの第５予備電流経路であって、前記第５予備電流経路は、第３トランジスタを含み、前記第３トランジスタは、前記第２記憶ノードに結合された制御端子を有し、前記第５予備電流経路は、前記第１予備電源電流経路又は前記第１予備シンク電流経路と並列である前記第５予備電流経路と、
前記第２記憶ノードへの第６予備電流経路であって、前記第６予備電流経路は、第４トランジスタを含み、前記第４トランジスタは、前記第１記憶ノードに結合された制御端子を有し、前記第６予備電流経路は、前記第２予備電源電流経路又は前記第２予備シンク電流経路と並列である前記第６予備電流経路と、
前記第５予備電流経路及び前記第６予備電流経路の一方は、前記メモリセルの読出し中、導通状態であり、前記第５予備電流経路及び前記第６予備電流経路は、前記メモリセルへの書き込み中、非導通状態であるＳＲＡＭメモリセル。
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
下記式により定義される、含芳香族硫黄アクリレートモノマー。
【化１】
2008527413.tif 000001
（式中、Ｒ１＝ＨまたはＣＨ3であり、ｍ、ｎ、ｐ、ｑは独立して１〜６であり、Ａｒはいずれかの芳香族基である。）
【請求項２】
透光性基材と、
基材に結合されたハードコート層であって、表面改質無機ナノ粒子、少なくとも１種のアクリレート架橋剤、および請求項１に記載の含芳香族硫黄アクリレートモノマーの反応生成物を含むハードコート層と、
前記ハードコート層に結合された任意選択の低屈折率層と
を含むディスプレイ。
【手続補正２】
【補正対象書類名】明細書
【補正対象項目名】００９２
【補正方法】変更
【補正の内容】
【００９２】
【表１】
2008527413.tif 000002
以下に、本願発明に関連する発明について、その実施形態を列挙する。
［実施形態１］
透光性基材と、
基材に結合されたハードコート層であって、表面改質無機ナノ粒子、少なくとも１種のアクリレート架橋剤、および含芳香族硫黄アクリレートモノマーの反応生成物を含むハードコート層と、
前記ハードコート層と結合された任意選択の低屈折率と
を含むディスプレイ。
［実施形態２］
前記無機ナノ粒子が表面改質ジルコニアである、実施形態１に記載のディスプレイ。
［実施形態３］
ハードコート層が少なくとも１．５８の屈折率を有する、実施形態１に記載のディスプレイ。
［実施形態４］
低指数層が１．５以下の屈折率を有する、実施形態１に記載のディスプレイ。
［実施形態５］
含芳香族硫黄アクリレートモノマーが、ナフタレン基または２つ以上の芳香族基を含有する、実施形態１に記載のディスプレイ。
［実施形態６］
前記含芳香族硫黄アクリレートモノマーが、以下のナフタレンおよびフェニル式によって定義される化合物の群から選択される、実施形態１に記載のディスプレイ。
【化２】
2008527413.tif 000003
［実施形態７］
前記アクリレート架橋剤が多官能性であり、および前記含芳香族硫黄アクリレートが、少なくとも１．５８またはそれを超える屈折率を示す、実施形態１に記載のディスプレイ。
［実施形態８］
前記含芳香族硫黄アクリレートモノマーが、アクリル酸２−［７−（２−アクリロイルオキシ−エチルスルファニル）−ナフタレン−２−イルスルファニル］−エチルエステルおよびアクリル酸２−｛４−［４−（２−アクリロイルオキシ−エチルスルファニル）−フェニルスルファニル］−フェニルスルファニル｝−エチルエステルからなる群から選択される、実施形態１に記載のディスプレイ。
［実施形態９］
前記含芳香族硫黄アクリレートモノマーが、以下の式によって定義される化合物の群から選択される、実施形態１に記載のディスプレイ。
【化３】
2008527413.tif 000004
（式中、Ｒ１＝ＨまたはＣＨ３であり、ｍ、ｎ、ｐ、ｑは独立して１〜６であり、Ａｒはいずれかの芳香族基である。）
［実施形態１０］
前記含芳香族硫黄アクリレートが、アクリル酸２−アクリロイルオキシメチル−３−（ナフタレン−２−イルスルファニル）−２−（ナフタレン−２−イルスルファニルメチル）−プロピルエステルおよびアクリル酸２−アクリロイルオキシメチル−３−フェニルスルファニル−２−フェニルスルファニルメチル−プロピルエステルからなる群から選択される、実施形態９に記載のディスプレイ。
［実施形態１１］
ハードコート組成物であって、樹脂マトリックス中に含芳香族硫黄アクリレートと表面改質ジルコニアナノ粒子とを含み、前記ハードコートが少なくとも１．５８の屈折率を有する、ハードコート組成物。
［実施形態１２］
アクリレート架橋剤で架橋された、実施形態１１に記載のハードコート。
［実施形態１３］
光開始剤をさらに含む、実施形態１１に記載のハードコート。
［実施形態１４］
前記ハードコートが、改定ＡＳＴＭ  Ｆ７３５−９４により測定される際、３．０％ヘーズ以下の耐摩耗性を有する、実施形態１１に記載のハードコート。
［実施形態１５］
前記樹脂マトリックスが、少なくとも３の官能価を有する多官能性アクリレートであるペンタエリスリトールトリアクリレートを含む、実施形態１１に記載のハードコート。
［実施形態１６］
前記多官能性アクリレートがペンタエリスリトールトリアクリレートである、実施形態１５に記載のハードコート。
［実施形態１７］
実施形態１１に記載のハードコートを含む、ディスプレイ。
［実施形態１８］
ナフタレン基、または２つ以上の芳香族基を含有する含芳香族硫黄アクリレート、
アクリレート架橋剤、および
官能化ジルコニアナノ粒子
を含むコーティング組成物。
［実施形態１９］
前記ジルコニアナノ粒子が、約１０〜３０ナノメートルの直径を有する、実施形態１８に記載の組成物。
［実施形態２０］
下記式により定義される、含芳香族硫黄アクリレートモノマー。
【化４】
2008527413.tif 000005
（式中、Ｒ１＝ＨまたはＣＨ3であり、ｍ、ｎ、ｐ、ｑは独立して１〜６であり、Ａｒはいずれかの芳香族基である。）
［実施形態２１］
アクリル酸２−アクリロイルオキシメチル−３−（ナフタレン−２−イルスルファニル）−２−（ナフタレン−２−イルスルファニルメチル）−プロピルエステルおよびアクリル酸２−アクリロイルオキシメチル−３−フェニルスルファニル−２−フェニルスルファニルメチル−プロピルエステルからなる群から選択される、実施形態２０に記載のモノマー。
［実施形態２２］
下記式により定義される、含芳香族硫黄アクリレートモノマー。
【化５】
2008527413.tif 000006
［実施形態２３］
下記式により定義される群から選択される含硫黄アクリレートモノマーを含む、重合性組成物。
【化６】
2008527413.tif 000007
（式中、Ｒ１＝ＨまたはＣＨ３であり、ｍ、ｎ、ｐ、ｑは独立して１〜６であり、Ａｒはいずれかの芳香族基である。）
および
【化７】
2008527413.tif 000008
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
オプティカルデバイスの内部構成部品であって、
前記内部構成部品が、
ｉ）少なくとも０．２重量％の、少なくとも１個の重合性部分を有する、少なくとも１種のフルオロケミカル成分、および
ｉｉ）少なくとも５０重量％の、１種以上の場合によってはフッ素化された架橋剤、
を含む重合性組成物の反応生成物を含むハードコート表面層を含み、オプティカルデバイスの中に組み入れられた後では、外部環境にさらされない、内部構成部品。
【請求項２】
多層光学膜、微細構造化膜、偏光膜、拡散膜、リターダ膜、補償膜、モノリス透明膜からなる群より選択される光学膜である、請求項１に記載の内部構成部品。
【請求項３】
前記オプティカルデバイスが、ディスプレイデバイス、検出デバイス、イメージングデバイス、および投影デバイスからなる群より選択される、請求項１に記載の内部構成部品。
【請求項４】
前記内部構成部品が、イメージセンサー、フォトセンサー、シリコンウェーハ、内装レンズ、プリズム、ビームスプリッター、フィルター、ミラー、偏光子、ディフューザー、および補償器からなる群より選択される、請求項１に記載の内部構成部品。
【請求項５】
イメージセンサーまたはシリコンウェーハから選択されるオプティカルデバイスの内部構成部品であって、前記内部構成部品が、重合性バインダー前駆体の反応生成物を含むハードコート表面層を含む、内部構成部品。
【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
画像媒体に画像を熱現像するサーマルプロセッサであり：      
アーチ形輸送経路を形成し、かつ、該アーチ形輸送経路に沿って前記画像媒体を移動させるよう構成されるドラムプロセッサ；及び      
ほぼ平面の輸送経路を形成し、かつ、該ほぼ平面の輸送経路に沿って前記画像媒体を移動させるよう構成されるフラットベッドプロセッサであり、該フラットベッドプロセッサは、前記アーチ形輸送経路とほぼ平面の輸送経路とが一緒になって当該サーマルプロセッサを貫くプロセシング経路を形成するよう前記ドラムプロセッサに結合され、前記画像媒体は、現像中、前記プロセシング経路に沿って前記ドラムプロセッサから前記フラットベッドプロセッサに移動するところのフラットベッドプロセッサ  
を有するサーマルプロセッサ。
【請求項２】
現像温度を持つ画像媒体を熱現像するサーマルプロセッサであって：    
周囲温度で前記画像媒体を受け取り、かつ、所望のプレドウェル温度まで前記画像媒体を加熱するよう構成されるドラムプロセッサ；及び    
実質的に前記所望のプレドウェル温度で前記加熱ドラムアセンブリから画像媒体を受け取るよう構成され、かつ、ドウェル時間に亘って実質的に現像温度で前記画像媒体を維持するよう構成されるフラットベッドプロセッサ  
を有するサーマルプロセッサ。
【請求項３】
現像温度を持つフォトサーモグラフィック画像媒体を熱現像する方法であって：  
周囲温度で前記画像媒体を受け取るステップ；
ドラムプロセッサで前記画像媒体をプレドウェル温度まで加熱するステップ；及び
フラットベッドプロセッサで所望のドウェル時間に亘って前記画像媒体を前記現像温度で維持するステップ
を有する方法。
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
（ａ）少なくとも一種の熱可塑性樹脂；
（ｂ）荷電制御剤；及び
（ｃ）ポリマー着色剤であって、前記ポリマー着色剤は、メチン系着色剤、アゾ系着色剤、ベンゾジフラノン系着色剤、及びトリフェニルメタン系着色剤からなる群より選択され、前記ポリマー着色剤が下記の式の構造にしたがうものである電子写真印刷用に適合された粒状カラートナー組成物。
Ｒ-［Ｅ（Ｚ-Ｘ）n］m 
（ここで、Ｒ或いはR-Ｅは、有機色素ラジカルであり、Ｅは、Ｎ、Ｏ、Ｓ、ＳＯ３、ＳＯ２Ｎ、或いはＣＯ２からなる群より選択される結合基であり、そして、ｎ及びｍは、１〜５の整数からなる群より独立して選択され、ここで、各Ｚは、以下の（i）、（ii）、或いは（iii）より独立して選択されるオリゴマー成分である；
（i）４４〜３０００の分子量を有する２価のオリゴマーアルキレンオキサイドラジカルであって、アルキレンオキサイドラジカルのアルキレン部分は２或いはそれ以上の炭素原子を含み、そして、２価のオリゴマーアルキレンオキサイドラジカルは、エチレンオキサイド、プロピレンオキサイド、ブチレンオキサイド、グリシドール及びそれらの組み合わせからなる群より選択されるモノマーを含む；
（ii）下記構造にしたがう２価の脂肪族オリゴマーエステルラジカル
【化１】
2008527462.tif 000001
ここで、Ｒ１及びＲ２は、それぞれ独立してＨ及びＣ１-Ｃ１０アルキル基からなる群より選択され、ｆは、１〜１０の整数であり、ｇは、１〜２０の任意の正の整数及び分数である；
（iii）（i）と（ii）との組合わせであり；及び
ここで、各Ｘは、Ｈ、ＯＨ、ＳＨ、ＮＨ２、アルキル基、アリール基、アルキルエステル基、アリールエステル基、有機スルホネート基及び有機スルフェート基、アミド基からなる群より独立して選択される末端基である。）
【請求項２】
請求項１記載の粒状カラートナー組成物であって、前記熱可塑性樹脂と前記ポリマー着色剤とが共重合している、粒状カラートナー組成物。
【請求項３】
請求項１記載の粒状カラートナー組成物であって、前記熱可塑性樹脂が、ポリエステル、ポリアクリレート、スチレンアクリレート共重合体、ポリプロピレン、ポリスチレン、硬パラフィンワックス、スチレンブタジエン共重合体、ポリアミド、及びポリウレタンからなる群より選択される組成物。
【請求項４】
請求項１記載の組成物であって、前記熱可塑性樹脂が、スチレンアクリレート共重合体を含む組成物。
【請求項５】
請求項１記載の粒状カラートナー組成物であって、前記組成物が更にワックスを含む、粒状カラートナー組成物。
【請求項６】
請求項１記載の粒状カラートナー組成物であって、更に顔料を含む、粒状カラートナー組成物。
【請求項７】
請求項１記載の粒状カラートナー組成物であって、前記組成物が、現像剤組成物としての使用に適合され、前記現像剤組成物は追加的に、キャリア粒子を含有し、前記キャリア粒子が磁気的に活性である、粒状カラートナー組成物。
【請求項８】
電子写真画像形成用カラートナー組成物の製造方法であって、前記製造方法は、
（ａ）熱可塑性樹脂及びポリマー着色剤を準備すること、ここで、前記ポリマー着色剤は、メチン系着色剤、アゾ系着色剤、ベンゾジフラノン系着色剤、及びトリフェニルメタン系着色剤からなる群より選択され、前記ポリマー着色剤が下記の式の構造にしたがうものである。
Ｒ-［Ｅ（Ｚ-Ｘ）n］m 
（ここで、Ｒ或いはR-Ｅは、有機色素ラジカルであり、Ｅは、Ｎ、Ｏ、Ｓ、ＳＯ３、ＳＯ２Ｎ、或いはＣＯ２からなる群より選択される結合基であり、そして、ｎ及びｍは、独立して１〜５の整数からなる群より選択され、ここで、各Ｚは、以下の（i）、（ii）、或いは（iii）より独立して選択されるオリゴマー成分である；
（i）４４〜３０００の分子量を有する２価のオリゴマーアルキレンオキサイドラジカルであって、アルキレンオキサイドラジカルのアルキレン部分は２或いはそれ以上の炭素原子を含み、そして、２価のオリゴマーアルキレンオキサイドラジカルは、エチレンオキサイド、プロピレンオキサイド、ブチレンオキサイド、グリシドール及びそれらの組み合わせからなる群より選択されるモノマーを含む；
（ii）下記構造にしたがう２価の脂肪族オリゴマーエステルラジカル
【化２】
2008527462.tif 000002
ここで、Ｒ１及びＲ２は、それぞれ独立してＨ及びＣ１-Ｃ１０アルキル基からなる群より選択され、ｆは、１〜１０の整数であり、ｇは、１〜２０の任意の正の整数及び分数である；
（iii）（i）と（ii）との組合わせであり；及び
ここで、各Ｘは、Ｈ、ＯＨ、ＳＨ、ＮＨ２、アルキル基、アリール基、アルキルエステル基、アリールエステル基、有機スルホネート基及び有機スルフェート基、アミド基からなる群より独立して選択される末端基である。）
（ｂ）荷電制御剤を準備すること、
（ｃ）（ａ）及び（ｂ）を混合し、第１の混合物を形成すること；
（ｅ）前記第１の混合物を加熱すること；
（ｆ）前記第１の混合物を冷却し固形物とすること；そして、
（ｇ）前記固形物を粉砕し、トナー粒子とすること
を包含する方法。
【手続補正書】
【提出日】平成20年11月13日(2008.11.13)
【手続補正１】
【補正対象書類名】明細書
【補正対象項目名】０００３
【補正方法】変更
【補正の内容】
【０００３】
知られている「孔」を利用して光源の強度出力(intensity output)を減少させる方法においては、電子機械自動絞りを動的孔ストップとして使用して、投影光源をアクティブ減衰している。図１はこのような、知られている機械自動絞り照明システム１００を示しており、このなかで電子機械機器は、その配置が二つのリングの相対位置により電子機械的に規定される一列の曲線状バネ鋼リーブを持っており、可変孔をもつ自動絞り１３０を提供する。照明システム１００は、照明が通過する孔１３２を機械的に増減することで光源１０２からの光を減衰する。自動絞り１３０は、アクロマチックに光源１０２を減衰してシステム１００の動的範囲を広げる目的で使用され、且つ、ワーキングｆ−ストップ（ｆ／＃）を減らし、より低い強度設定におけるコントラストを増加させる目的で使用される。この文脈における動的範囲とは、様々な画像強度設定において画素グレイレベル数を維持することのできる能力のことを示しており、さらには、ディスプレイが明暗画像双方について良好なフルグレイ表現ができることを示している。従って孔１３２を閉じると照明光は減衰され、且つ、ワーキングｆ／＃が増加する。後者の「ｆ／＃の増加」もまた任意の光レベルにおけるコントラストの一助となるが、しばしばこれは均一性を犠牲にする。照明システム１００内の自動絞り１３０などの機械要素はとても効果的ではあるが、信頼性に問題を持ち、高価であり、音がうるさく、好ましくない振動を生じ、比較的反応時間が遅い傾向にある。
なお、本出願に対応する外国の特許出願においては下記の文献が発見または提出されている。
【特許文献１】米国特許第５０９８１８４号明細書
【特許文献２】米国特許第５６２５４９５号明細書
【特許文献３】米国特許第５７５４５７１号明細書
【特許文献４】米国特許第５９２４７８３号明細書
【特許文献５】米国特許第６６３１９９７号明細書
【特許文献６】米国特許第６７５５５３８号明細書
【特許文献７】米国特許第６７６９７７７号明細書
【特許文献８】米国特許第６８１９０６４号明細書
【特許文献９】米国特許第６８５７７５１号明細書
【特許文献１０】米国特許第６８７７８６５号明細書
【特許文献１１】米国特許第６９２４９２３号明細書
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
最上部フィルムと最下部フィルムとを有する複数の積層光学フィルムと、
前記積層の前記最上部および最下部フィルムと接して、前記積層をユニットとして一緒に保持する第１の接着層とを備え、
前記積層の前記光学フィルムを個々に扱うことなく、前記積層が光学ディスプレイに組み立てられる、光学ディスプレイで用いる光学サブアセンブリ。
【請求項２】
第１の周囲を有する導光板と、
光学フィルムユニットとを備え、前記光学フィルムユニットが、
複数の積層光学フィルムと、
前記導光板の前記第１の周囲を越えて延在する第２の周囲を有し、前記光学フィルムおよび導光板の露出部分と接する接着層とを備え、
各光学フィルムが周囲を有し、前記複数の積層光学フィルムが第１および第２の外部光学フィルムを含み、前記第１の外部光学フィルムが前記導光板に隣接しており、前記第１の外部光学フィルムの周囲の少なくとも一部分が前記導光板の一部分が露出するように前記導光板の前記第１の周囲から引っ込んでおり、各残りの光学フィルムの周囲の少なくとも一部分が少なくとも前記第２の外部光学フィルムの一部分が露出されるように引っ込んでいる、光学フィルムパッケージ。
【請求項３】
バックライトユニットと、
ディスプレイパネルユニットと、
前記バックライトユニットと前記ディスプレイパネルユニットとの間に位置決めされた光学フィルムユニットとを備え、
前記光学フィルムユニットが、複数の事前位置合わせされた積層光学フィルムを備え、少なくとも前記積層の最上部光学フィルムと前記積層の最下部光学フィルムとが接着層に接している光学ディスプレイ。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
複数の第１の光指向突起を備え、
前記第１の光指向突起が頂部と底部とを含み、前記頂部が第１の対のプリズムファセットにより画定される丸い輪郭を有するとともに、前記底部が第２の対のプリズムファセットにより画定され、前記第１の対のプリズムファセットが第１の挟角を有するとともに、前記第２の対のプリズムファセットが第２の挟角を有し、さらに前記第１の挟角が前記第２の挟角とは異なる、構造化面を有する光学システム内で用いる輝度上昇物品。
【請求項２】
バックライト光源から離れる方向に面するとともに、輝度上昇物品に対して垂直な軸から約７５°より大きい角度の配光ロブを実質的に排除するように形成された複数の光指向突起を有する構造化面を有する、バックライト光源を有する光学システム内で用いる輝度上昇物品。
【請求項３】
ディスプレイパネルと、
バックライトアセンブリと、
構造化面が前記ディスプレイパネルに面している状態で、前記バックライトアセンブリと前記ディスプレイパネルとの間に配置された光学フィルムとを備え、
前記構造化面が、前記光学フィルムに垂直な軸から約７５°より大きい角度のロブの配光を防止するように構成された複数の光指向突起を有する光学ディスプレイアセンブリ。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
第１の表面と構造化表面とを有する光学フィルムであって、前記構造化表面は複数のプリズム状構造体を含み、各構造体は、少なくとも２つの第１の辺および少なくとも２つの第２の辺を含み、かつ前記第１の辺が前記第２の辺と異なる長さをもった基部を有する、光学フィルムにおいて、
前記複数のプリズム状構造体のそれぞれが５つの実質的に平らな表面を含み、４つの表面が前記基部に取り付けられており、かつ該４つの表面のそれぞれが前記基部から５つ目の表面に向かって角度を付けて配置されており、
前記複数のプリズム状構造体の少なくとも１つの前記第１および第２の辺の少なくとも１つが、少なくとも１つの他のプリズム状構造体の前記第１および第２の辺の少なくとも１つに対してずれており、かつ
前記光学フィルムには、前記第１の表面又は前記構造化表面を介して光が入射する、光学フィルム。
【請求項２】
前記光学フィルムが、前記構造化表面の光学的特徴とは異なる付加的な光学的特徴を有する基板部分をさらに含む、請求項１に記載の光学フィルム。
【請求項３】
光源と、前記構造化表面が前記光源とは反対側を向くように配置されている請求項１に記載の光学フィルムとを含む光学装置。
【手続補正書】
【提出日】平成20年12月26日(2008.12.26)
【手続補正１】
【補正対象書類名】特許請求の範囲
【補正対象項目名】請求項１９
【補正方法】変更
【補正の内容】
【請求項１９】
１つの部分は環状に形成され、他の部分は同環の中心を実質充填し、他の部分の組成物には他の部分の少なくとも６５重量％、好ましくは７０〜８０重量％の界面活性剤が含まれる請求項１記載のブロック。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
少なくとも１種のエチレン／Ｃ3〜Ｃ20α−オレフィン共重合体を含む第１の成分、
前記第１の成分１００重量部につき６〜１２重量部の量の、少なくとも１種のエチレン／（メタ）アクリル酸エステル共重合体を含む第２の成分、
前記第１の成分１００重量部につき５０〜２００重量部の量の、少なくとも１種の粘着付与樹脂を含む、前記第１および前記第２の成分と相溶性の第３の成分
を含むホットメルト接着組成物。
【請求項２】
前記α−オレフィンが、１−オクテンを含む請求項１に記載の組成物。
【請求項３】
前記エチレン／Ｃ3〜Ｃ20α−オレフィン共重合体が、１５０〜２５００ｇ／１０分のメルトインデックスを有する請求項２に記載の組成物。
【請求項４】
前記（メタ）アクリル酸エステルが、Ｃ1〜Ｃ8アルキル（メタ）アクリル酸エステルを含む請求項１〜３のいずれか１項に記載の組成物。
【請求項５】
少なくとも１種のワックスをさらに含有する請求項１〜４のいずれか１項に記載の組成物。
【請求項６】
前記第３の成分が、前記第１の成分１００重量部につき４０〜１５０重量部の量の、前記第１の成分と相溶性の第１の粘着付与樹脂、および前記第１の成分１００重量部につき１０〜５０重量部の量の、前記第２の成分と相溶性の第２の粘着付与樹脂を含む請求項３に記載の組成物。
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
少なくともジエンエラストマー、高分子充填剤、及び前記高分子充填剤と前記エラストマー間の結合用のカップリング剤をベースとし、前記高分子充填剤が、式 ≡Si-X (式中、Xは、ヒドロキシル又は加水分解性基を示す)のZで示される官能基を有するポリビニル芳香族のナノ粒子を含むことを特徴とするゴム組成物。
【請求項２】
前記ポリビニル芳香族が、ビニル芳香族ホモポリマー又は少なくとも主要質量画分がビニル芳香族であるコポリマーである、請求項１記載の組成物。
【請求項３】
Xがハロゲンである、請求項１又は２に記載の組成物。
【請求項４】
Xが式 ORを満たし、Rが水素又は１価の線状もしくは枝分れ炭化水素基を示す、請求項１〜３のいずれか１項記載の組成物。
【請求項５】
Zが、下記の式の１つを満たす、請求項１記載の組成物。
【化１】
2008527061.tif 000001
(式中、基R1は、置換され又は置換されてない同一又は異なるものであって、C1〜C8アルキル、C5〜C8シクロアルキル及びC6〜C12アリールからなる群から選ばれ、
基R2は、置換され又は置換されてない同一又は異なるものであって、ヒドロキシル、C1〜C8アルコキシル及びC5〜C8シクロアルコキシルからなる群から選ばれる)。
【請求項６】
前記ポリビニル芳香族が、一方の少なくとも１種のビニル芳香族第１コモノマー(コモノマーAと称する)と他方の式 ≡Si-Xの官能基Zを有する少なくとも１種の官能化第２コモノマー(コモノマーBと称する)とのコポリマーである、請求項１〜５のいずれか１項記載の組成物。
【請求項７】
コモノマーAが、スチレン化合物である、請求項６記載の組成物。
【請求項８】
コモノマーBが、ヒドロキシシリル(C1〜C4)アルキルアクリレート及びメタクリレート、(C1〜C4)アルコキシシリル(C1〜C4)アルキルアクリレート及びメタクリレート、並びにそのようなモノマーの混合物からなる群から選ばれる、請求項６又は７に記載の組成物。
【請求項９】
コモノマーBが、スチリル(C1〜C4)アルキルヒドロキシシラン、スチリル(C1〜C4)アルキル(C1〜C4)アルコキシシラン、及びそのようなモノマーの混合物からなる群から選ばれる、請求項６又は７に記載の組成物。
【請求項１０】
前記ビニル芳香族コポリマー中のコモノマーBのモル含有量が、5%〜30％である、請求項６又は７に記載の組成物。
【請求項１１】
前記ポリビニル芳香族が、少なくとも１種の少なくとも二官能架橋性のコモノマー(コモノマーCと称する)の存在によって更に架橋されている、請求項１〜１０のいずれか１項記載の組成物。
【請求項１２】
コモノマーCが、少なくとも２個の重合性不飽和基を有する、請求項１１記載の組成物。
【請求項１３】
コモノマーCが、ポリオール類のジ(メタ)アクリレート、アルキレンジ(メタ)アクリルアミド、少なくとも２個のビニル基を有するビニル芳香族化合物、及びそのようなコモノマーの混合物からなる群から選ばれる、請求項６又は７に記載の組成物。
【請求項１４】
前記ポリビニル芳香族中のコモノマーCの質量含有量が、5%〜30％である、請求項１３記載の組成物。
【請求項１５】
前記ポリビニル芳香族が、スチレン、エチルビニルベンゼン、ジビニルベンゼン及びトリメトキシシリルプロピル(メタ)アクリレートのコポリマーである、請求項１４記載の組成物。
【請求項１６】
トリメトキシシリルプロピル(メタ)アクリレートの質量含有量が、10〜30％である、請求項１５記載の組成物。
【請求項１７】
前記ナノ粒子の平均直径が、10〜100nmである、請求項１〜１６のいずれか１項記載の組成物。
【請求項１８】
少なくとも１種のジエンエラストマー、少なくとも１種の高分子充填剤、及び前記高分子充填剤とエラストマー間の結合用のカップリング剤を混入し、これらの全てを、１以上の工程において、110℃〜190℃の最高温度に達するまで熱機械的に混合するゴム組成物の取得方法であって、前記高分子充填剤が、≡Si-X (式中、Xは、ヒドロキシル又は加水分解性基を示す)によって官能化されたポリビニル芳香族のナノ粒子を含むことを特徴とする前記取得方法。
【請求項１９】
少なくとも１種のジエンエラストマーと高分子充填剤をベースとし、前記高分子充填剤が、式 ≡Si-X (式中、Xは、ヒドロキシル又は加水分解性基を示す)のZで示される官能基を有するポリビニル芳香族のナノ粒子を含むことを特徴とするマスターバッチ。
【請求項２０】
下記の工程、
‐ジエンエラストマーのラテックス及び高分子充填剤のラテックスを最初に取得する工程、
‐各ラテックスを緊密に混合する工程、
‐そのようにして得られた混合物を沈降させる工程、及び、
‐その後、そのようにして得られた沈降物を洗浄し、乾燥させる工程、
を含み、前記高分子充填剤が、式：≡Si-X (式中、Xは、ヒドロキシル又は加水分解性基を示す)のZで示される官能基を有するポリビニル芳香族のナノ粒子を含むことを特徴とする、少なくとも１種のジエンエラストマー及び高分子充填剤を含むマスターバッチの取得方法。
【請求項２１】
請求項１〜１７のいずれか１項記載の組成物を含むゴムから製造した物品又は半製品。
【請求項２２】
請求項１〜１７のいずれか１項記載のゴム組成物を含むタイヤ。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
低屈折率反射防止コーティング層として有用なシリコーン改質フルオロポリマー組成物であって、前記組成物が、
フッ化ビニリデンモノマー単位に結合された少なくとも１個のヘキサフルオロプロピレンモノマー単位を有するフルオロポリマー、
前記少なくとも１個のフッ化ビニリデンモノマー単位の前記１個と反応したアミノシランカップリング剤、および
前記アミノシランカップリング剤と部分的に縮合されたシリコーンアルコキシ樹脂のオリゴマー、
の反応生成物を含み、ここで前記シリコーンアルコキシ樹脂の前記オリゴマーが、フルオロアルキル−トリメトキシシラン樹脂およびテトラアルコキシシラン樹脂の混合物を含み、
Ｓｉ−（ＯＲ１）ｍＲ２ｎ
［式中、ｍは１〜４の整数であり、ｎは０〜３の整数であるが、ｍ＋ｎ＝４であり、そして
Ｒ１およびＲ２はアルキル基である］を含む、組成物。
【請求項２】
光学ディスプレイを有する物品であって、前記光学ディスプレイが、
（ａ）光学基材、および
（ｂ）前記光学基材に結合された反射防止コーティングを含み、前記反射防止コーティングが高屈折率層および低屈折率層を含み、前記低屈折率層が、
フッ化ビニリデンモノマー単位に結合された少なくとも１個のヘキサフルオロプロピレンモノマー単位を有するフルオロポリマー、
前記少なくとも１個のフッ化ビニリデンモノマー単位の前記１個と反応したアミノシランカップリング剤、および
前記アミノシランカップリング剤と部分的に縮合されたシリコーンアルコキシ樹脂のオリゴマー、
の反応生成物を含み、ここで前記シリコーンアルコキシ樹脂の前記オリゴマーが、
Ｓｉ−（ＯＲ１）ｍＲ２ｎ
［式中、ｍは１〜４の整数であり、ｎは０〜３の整数であるが、ｍ＋ｎ＝４であり、そして
Ｒ１およびＲ２はアルキル基である］を含む、
物品。
【請求項３】
加熱転写可能な反射防止材料であって、
除去可能な剥離層、
前記除去可能な剥離層に結合された低屈折率層（ここで前記低屈折率層の組成物には請求項１に記載の組成物の反応生成物が含まれる）、
前記低屈折率層に結合された高屈折率層、
前記高屈折率層に結合されたハードコート層、および
前記ハードコート層に結合された接着剤層、
を含む反射防止材料。
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
（ａ）ポリオレフィンフィブリルによって相互に接続されたポリオレフィンドメインのマトリックスと、
（ｂ）前記ドメイン間に存在する固体希釈剤であって、前記ポリオレフィンおよび前記固体希釈剤の両方の融解温度よりも高い温度において前記ポリオレフィンと混和性であり、前記ポリオレフィンの結晶化温度よりも低い温度において凝固することによって前記ポリオレフィンから相分離する固体希釈剤と、
を含む、微孔性材料。
【請求項２】
前記固体希釈剤がワックス、ポリマーおよびコポリマーのうち１つ又は複数であり、必要に応じて前記ワックスがパラフィンワックス、マイクロクリスタリンワックス、およびポリエチレンワックスの少なくとも１つであり、さらに必要に応じて前記ポリオレフィンがポリエチレン、ポリプロピレン、ポリブテン、ポリイソプレン、ポリメチルペンテン、およびそれらのコポリマーの少なくとも１つである、請求項１に記載の微孔性材料。
【請求項３】
前記固体希釈剤が前記ポリオレフィンドメインを少なくとも部分的に囲む、請求項１に記載の微孔性材料。
【請求項４】
（ａ）２５〜７５質量％のポリオレフィンと、
（ｂ）２５〜７５質量％の固体希釈剤と、
を含む、請求項１に記載の微孔性材料。
【請求項５】
（ａ）３０〜７５質量％のポリプロピレンと、
（ｂ）２５〜７０質量％の固体希釈剤と、
を含む、請求項４に記載の微孔性材料。
【請求項６】
核剤をさらに含み、必要に応じて前記核剤がガンマ−キナクリドン、スベリン酸のカルシウム塩、ピメリン酸のカルシウム塩ならびにポリカルボン酸のカルシウム塩およびバリウム塩の１つ又は複数から選択される、請求項１又は５に記載の微孔性材料。
【請求項７】
（ａ）３５〜５５質量％のメチルペンテンコポリマーと、
（ｂ）４５〜６５質量％の固体希釈剤であって、必要に応じて少なくとも４５質量％のパラフィンワックスを含む、固体希釈剤と、
を含む、請求項５に記載の微孔性材料。
【請求項８】
３００〜８００ナノメートル（ｎｍ）の波長の入射光について測定された入射光に対する反射光の百分率である全反射率が、少なくとも９２％である、請求項１に記載の微孔性材料。
【請求項９】
請求項1又は８に記載の微孔性材料を含み、必要に応じて前記微孔性材料が反射光学フィルムに積層されている、複合物品。
【請求項１０】
（ａ）溶融ブレンドして、溶融したポリオレフィンポリマー成分と溶融した固体希釈剤成分とを含む溶液を形成する工程であって、前記溶融したポリマー成分が、前記溶融した固体希釈剤成分に可溶性である、工程と、
（ｂ）前記溶融ブレンドした溶液から物品を形成する工程と、
（ｃ）前記物品を冷却して、前記溶融したポリオレフィンポリマー成分を結晶化してポリマードメインのマトリックスを形成し、前記溶融した固体希釈剤成分を前記ポリマードメイン間に分布した固体希釈剤として凝固させる工程と、
（ｄ）前記物品を少なくとも１つの方向に延伸することによって多孔性を形成して隣接したポリマードメインを互いに分離し、その間に相互に接続された微細孔の網目を提供する工程であって、得られた物品が、固体希釈剤によって少なくとも部分的に囲まれたポリオレフィンポリマードメインを含む、工程と、
からなる、微孔性物品の製造方法。
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
（ａ）冠状動脈拡張を与えるために、ビノデノゾン（binodenoson）の約０．１〜約１０μｇ／ｋｇをヒト患者に静脈内経路で投与する工程；及び
（ｂ）ヒト患者において心筋機能不全を検出する工程
を含んでなる、喘息又は気管支痙攣の既往歴を有するヒト患者において心筋機能不全を診断する方法において使用するためのビノデノゾンを含有してなる医薬組成物。
【請求項２】
ビノデノゾンを、前記ヒト患者にボーラス投与する、請求項１に記載の医薬組成物。
【請求項３】
ビノデノゾンの約０．５〜約２．５μｇ／ｋｇを、前記ヒト患者に投与する、請求項２に記載の医薬組成物。
【請求項４】
ビノデノゾンを、前記ヒト患者に注入によって投与する、請求項１に記載の医薬組成物。
【請求項５】
ビノデノゾンの約０．３〜約２．０μｇ／ｋｇ／分を、前記ヒト患者に投与する、請求項４に記載の医薬組成物。
【請求項６】
心筋機能不全が、冠状動脈疾患、心室機能不全、疾患のない冠血管と狭窄血管を通る血流の差異又はそれらの組合せである、請求項１に記載の医薬組成物。
【請求項７】
工程（ｂ）が、非侵襲的心筋画像化手順を包含する、請求項１に記載の医薬組成物。
【請求項８】
非侵襲的画像化手順が、造影剤の投与を包含する、請求項７に記載の医薬組成物。
【請求項９】
（ａ）冠状動脈拡張を与えるために、ビノデノゾンの約０．１〜約１０μｇ／ｋｇをヒト患者に静脈内経路で投与する工程；
（ｂ）ヒト患者に造影剤を投与する工程；及び
（ｃ）冠状動脈疾患を検出するために、ヒト患者で心筋灌流の画像検査を実施する工程
を含んでなる、喘息又は気管支痙攣の既往歴を有するヒト患者において冠状動脈疾患を診断する方法において使用するためのビノデノゾンを含有してなる医薬組成物。
【請求項１０】
（ａ）冠状動脈拡張を与えるために、ビノデノゾンの約０．１〜約１０μｇ／ｋｇをヒト患者に静脈内経路で投与する工程；及び
（ｂ）心室機能不全を検出するために、ヒト患者で心室機能の画像化手法を実施する工程を含んでなる、喘息又は気管支痙攣の既往歴を有するヒト患者において、冠状動脈疾患によって引き起こされる心室機能不全を診断する方法において使用するためのビノデノゾンを含有してなる医薬組成物。
【請求項１１】
（ａ）冠状動脈拡張を与えるために、ビノデノゾンの約０．１〜約１０μｇ／ｋｇをヒト患者に静脈内経路で投与する工程；及び
（ｂ）ヒト患者において灌流異常を検出する工程
を含んでなる、喘息又は気管支痙攣の既往歴を有するヒト患者において灌流異常を診断する方法において使用するためのビノデノゾンを含有してなる医薬組成物。
【請求項１２】
工程（ｂ）が、疾患のない冠血管と比較して、罹患冠血管の血管拡張能を評価するためにヒト患者で冠血流速度を測定することを包含する、請求項１１に記載の医薬組成物。
【請求項１３】
工程（ｂ）が、疾患のない冠血管と比較して、罹患冠血管の血管拡張能（予備能）を評価することを包含する、請求項１１に記載の医薬組成物。
【請求項１４】
（ａ）冠状動脈拡張を与えるために、ビノデノゾンの約０．１〜約１０μｇ／ｋｇをヒト患者に静脈内経路で投与する工程；
（ｂ）ヒト患者に放射性医薬品を投与する工程；及び
（ｃ）冠状動脈疾患を検出するために、ヒト患者でシンチグラフィを実施する工程
を含む、喘息又は気管支痙攣の既往歴を有するヒト患者において冠状動脈疾患の存在を診断し、重篤性を評価する方法において使用するためのビノデノゾンを含有してなる医薬組成物。
【請求項１５】
（ａ）冠状動脈拡張を与えるために、ビノデノゾンの約０．１〜約１０μｇ／ｋｇをヒト患者に静脈内経路で投与する工程；及び
（ｂ）心室機能不全を検出するために、ヒト患者で心エコー検査を実施する工程
を含む、喘息又は気管支痙攣の既往歴を有するヒト患者において心室機能不全の存在を診断し、重篤性を評価する方法において使用するためのビノデノゾンを含有してなる医薬組成物。
【請求項１６】
（ａ）冠状動脈拡張を与えるために、ビノデノゾン約１．５μｇ／ｋｇをボーラス投与によって静脈内経路で投与する工程；及び
（ｂ）ヒト患者において心筋機能不全を検出する工程
を含む、喘息又は気管支痙攣の既往歴を有するヒト患者において心筋機能不全を診断する方法において使用するためのビノデノゾンを含有してなる医薬組成物。
【請求項１７】
ビノデノゾンの単位投与量を含有する第一容器、及び造影剤、アデノシンアンタゴニスト又はβ−２アゴニストを含有する第二容器を包含する、キット。
【請求項１８】
第二容器が、造影剤を含有する、請求項１７に記載のキット。
【請求項１９】
第二容器が、アデノシンアンタゴニストを含有する、請求項１７に記載のキット。
【請求項２０】
第二容器が、β−２アゴニストを含有する、請求項１７に記載のキット。
【手続補正書】
【提出日】平成20年12月19日(2008.12.19)
【手続補正１】
【補正対象書類名】特許請求の範囲
【補正対象項目名】請求項２６
【補正方法】変更
【補正の内容】
【請求項２６】
ＭＡＰＥＧファミリーメンバーが、ミクロソームプロスタグランジンＥシンターゼ-１、ロイコトリエンＣ４シンターゼ及び／又は５-リポキシゲナーゼ活性化タンパク質である請求項２５に記載の使用。
【手続補正２】
【補正対象書類名】特許請求の範囲
【補正対象項目名】請求項３１
【補正方法】変更
【補正の内容】
【請求項３１】
ＭＡＰＥＧファミリーメンバーが、ミクロソームプロスタグランジンＥシンターゼ-１、ロイコトリエンＣ４シンターゼ及び／又は５-リポキシゲナーゼ活性化タンパク質である請求項３０に記載の方法。
【手続補正３】
【補正対象書類名】明細書
【補正対象項目名】００９６
【補正方法】変更
【補正の内容】
【００９６】
本発明の化合物は、プロスタグランジンＥシンターゼ（特にミクロソームプロスタグランジンＥシンターゼ-１(ｍＰＧＥＳ-１)）の活性を（例えば選択的に）阻害し得る、すなわち、例えば以下に記載の試験で実証されうるように、ｍＰＧＥＳ-１又はｍＰＧＥＳ-１酵素が一部を形成する錯体の作用を妨げ、及び／又はｍＰＧＥＳ-１調節効果を発現し得るために、特に有用である。よって、本発明の化合物は、ＰＧＥＳ、特にｍＰＧＥＳ-１の阻害が必要とされる病状の治療に有用であり得る。
本発明の化合物は、例えば、Eur. J. Biochem., 209, 725-734 (1992)に記載されているような試験において示されるように、ロイコトリエンＣ４（ＬＴＣ４）の活性を阻害し得、よってＬＴＣ４の阻害が必要とされる症状の治療に有用であり得る。本発明の化合物はまた例えばMol. Pharmacol., 41, 873-879 (1992)に記載されているもののような試験で示されるように、５-リポキシゲナーゼ活性化タンパク質（ＦＬＡＰ）の活性を阻害しうる。
よって、本発明の化合物は、炎症の治療に有用であることが期待される。
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
少なくとも１種類の非ウレタン脂肪族（メタ）アクリル化合物および少なくとも１種類の重合性フルオロケミカルを含むコーティング組成物。
【請求項２】
少なくとも１種類の非ウレタン（メタ）アクリル化合物および少なくとも１種類の一末端（パー）フルオロポリエーテル（メタ）アクリル化合物を含むコーティング組成物。
【請求項３】
前記重合性フルオロケミカルが、（パー）フルオロエーテル含有アクリレートおよびメタクリレートからなる群から選択される、請求項１に記載のコーティング組成物。
【請求項４】
前記非ウレタンアクリル化合物が、脂肪族（メタ）アクリレートおよび芳香族（メタ）アクリレートからなる群から選択される、請求項２に記載のコーティング組成物。
【請求項５】
基材表面を保護する方法であって、前記基材上に表層を提供する工程を含み、前記表層が、少なくとも１種類の非ウレタン脂肪族（メタ）アクリル化合物および少なくとも１種類の重合性フルオロケミカルを含む組成物の反応生成物を含む、方法。
【請求項６】
基材表面を保護する方法であって、前記基材上に表層を提供する工程を含み、前記表層が、少なくとも１種類の非ウレタン（メタ）アクリル化合物および少なくとも１種類の一末端（パー）フルオロポリエーテル（メタ）アクリル化合物を含む組成物の反応生成物を含む、方法。
【請求項７】
前記フルオロケミカルが、パーフルオロエーテル含有アクリレートおよびメタクリレートからなる群から選択される、請求項５に記載の方法。
【請求項８】
前記非ウレタン（メタ）アクリル化合物が、脂肪族（メタ）アクリレートおよび芳香族（メタ）アクリレートからなる群から選択される、請求項６に記載の方法。
【請求項９】
基材と表層を含む物品であって、前記表層が、少なくとも１種類の非ウレタン脂肪族（メタ）アクリル化合物および少なくとも１種類の重合性フルオロケミカルを含む組成物の反応生成物を含む、物品。
【請求項１０】
基材と表層を含む物品であって、前記表層が、少なくとも１種類の非ウレタン（メタ）アクリル化合物および少なくとも１種類の一末端（パー）フルオロポリエーテル（メタ）アクリル化合物を含む組成物の反応生成物を含む、物品。
【請求項１１】
前記フルオロケミカルが、パーフルオロエーテル含有アクリレートおよびメタクリレートからなる群から選択される、請求項９に記載の物品。
【請求項１２】
前記非ウレタン（メタ）アクリル化合物が、脂肪族（メタ）アクリレートおよび芳香族（メタ）アクリレートからなる群から選択される、請求項１０に記載の物品。
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
ａ．直鎖状および／または実質的に直鎖状のエチレン／α−オレフィンコポリマープラストマーおよび／またはエラストマーを組成物の８８から９９重量パーセント、および、
ｂ．高圧低密度型樹脂を組成物の１から１２重量パーセント含む組成物であって、
前記組成物の融解熱が６０Ｊ／ｇ未満であり、前記組成物の８０℃を上回る部分面積が全融解熱の２５パーセント未満であり、前記組成物のＣＤＦが０．０２より大きい、組成物。
【請求項２】
前記第１の成分が、エチレンと１種以上の他のα−オレフィン（Ｃ3〜Ｃ22）とのコポリマーを含む群より選択される、請求項１の組成物。
【請求項３】
前記第１の成分の密度が０．８８５ｇ／ｃｍ3未満である、請求項１の組成物。
【請求項４】
前記第１の成分の密度が０．８８ｇ／ｃｍ3未満である、請求項１の組成物。
【請求項５】
前記第１の成分の密度が０．８７５ｇ／ｃｍ3未満である、請求項１の組成物。
【請求項６】
前記第１の成分のメルトインデックス（Ｉ2）が２０ｇ／１０分未満である、請求項１の組成物。
【請求項７】
前記第１の成分のメルトインデックス（Ｉ2）が１５未満である、請求項１の組成物。
【請求項８】
前記第１の成分のメルトインデックス（Ｉ2）が１２ｇ／１０分未満である、請求項１の組成物。
【請求項９】
前記８０℃を上回る部分面積が、全融解熱の４パーセントより大きくかつ２０パーセント未満である、請求項１の組成物。
【請求項１０】
前記８０℃を上回る部分面積が、全融解熱の７パーセントより大きくかつ１７パーセント未満である、請求項１の組成物。
【請求項１１】
前記ＣＤＦが０．０２より大きい、請求項１の組成物。
【請求項１２】
前記ＣＤＦが０．０３より大きくかつ０．１２未満である、請求項１の組成物。
【請求項１３】
前記ＣＤＦが０．０４より大きくかつ０．９未満である、請求項１の組成物。
【請求項１４】
ａ．プロピレンの含有量が８９モルパーセント以下であるプロピレン系プラストマーおよび／またはエラストマーを組成物の８８から９９重量パーセント、および、
ｂ．分岐プロピレン系ポリマーを組成物の１から１２重量パーセント含む組成物であって、
前記組成物の融解熱が５７Ｊ／ｇ未満であり、前記組成物の８０℃を上回る部分面積が６５パーセント未満である、組成物。
【請求項１５】
前記８０℃を上回る部分面積が、全融解熱の２０パーセントより大きくかつ６０パーセント未満である、請求項１４の組成物。
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
式：
Ａ−（Ｍf）a−（Ｍh）b−Ｇ
（式中、Ａは開始剤の残基または水素であり、
Ｍfはフッ素化モノマーであり、
Ｍhは非フッ素化モノマーであり、
Ｇは連鎖移動剤の残基を含む一価有機残基であり、
ａは１〜５０の単位を表し、そしてｂは１〜５０の単位を表す）
のポリマー界面活性剤であって、
（ａ）式
【化１】
2008527082.tif 000001
（式中、ＲfはＣ2〜Ｃ5フルオロアルキル基であり、
Ｒはアルキルまたはアリールであり、
Ｒ2は水素またはＣＨ3であり、
ｎは１〜１０の整数である）
のフッ素化モノマーの単位、および
（ｂ）式
ＣＨ2＝Ｃ（Ｒ2）Ｃ（Ｏ）Ｘ−（Ｃn’Ｈ2n’）Ｙ
（式中、ＸはＯ、Ｎ（Ｒ1）またはＳであり、
Ｒ1は水素またはＣ1〜Ｃ4アルキル基であり、
Ｒ2は上に定義された通りであり、
ｎ’は０〜２０の整数であり、そして
Ｙは、ｎ’＝０のときは水素であるか、またはｎ＞０のときは親水性基である）
の非フッ素化モノマーの単位、および
（ｃ）連鎖移動剤の残基であるＧ
の反応生成物を含む界面活性剤。
【請求項２】
互いに近接した２つのパーフルオロブタンスルホンアミド・セグメントおよび約２，０００〜約１００，０００グラム／モルの分子量を有するポリマー化合物から誘導された界面活性剤を液体に加える工程を含む前記液体の表面張力の低下方法。
【請求項３】
式
【化２】
2008527082.tif 000002
（式中、ＲfはＣ2〜Ｃ5フルオロアルキル基であり、
Ｒはアルキルまたはアリールであり、
Ｒ2は水素またはＣＨ3であり、
ｎは１〜１０の整数である）
のフッ素化モノマー。